(57)【要約】【課題】この発明はボード体と側柵との間に生じる隙間を確実に小さくすることができるようにしたベッド装置を提供することにある。【解決手段】ベッドフレーム３と、ベッドフレームの長手方向の端部に設けられるヘッドボード体６及びフットボード体７と、ベッドフレームの側部に長手方向に沿って設けられる側柵２１，２２を備え、  側柵は、長手方向の一端が開放した枠状部材２３及びこの枠状部材の開放した長手方向の一端にベッドフレームの長手方向に対して位置決め調整可能に設けられた端部材２４によって構成されている。【選択図】図１
2006204743.tif 000002
【特許請求の範囲】
【請求項１】
ベッド本体と、
このベッド本体の長手方向の少なくとも一端部に設けられるボード体と、
上記ベッド本体の側部に長手方向に沿って設けられる側柵を備え、
上記側柵は、長手方向の一端が開放した枠状部材及びこの枠状部材の開放した長手方向の一端に上記ベッド本体の長手方向に対して位置決め調整可能に設けられた端部材によって構成されていることを特徴とするベッド装置。
【請求項２】
上記端部材は上記枠状部材の開放した端部にスライド可能に接続される筒状の接続部を有し、この接続部には複数の取り付け孔が長手方向に沿って所定間隔で形成され、上記枠状部材の上記接続部が接続される端部には上記取り付け孔から挿入されたおねじが螺合するナットが設けられていることを特徴とする請求項１記載のベッド装置。
【請求項３】
上記ベッド本体の長手方向一端にはヘッドボード体、他端にはフットボード体が設けられ、上記ベッド本体の側部には長手方向に沿って２つの側柵が設けられていて、
一方の側柵は上記ヘッドボード体側に位置する一端部が長さ寸法の調整可能に構成され、他方の側柵は上記フットボード体側に位置する一端部が長さ調整可能に構成されていることを特徴とする請求項１記載のベッド装置。
【発明の詳細な説明】
【技術分野】
【０００１】
この発明は長手方向の端部にボード体が設けられるベッド本体を有し、このベッド本体の側部に側柵が設けられるベッド装置に関する。
【背景技術】
【０００２】
たとえば、介護用などのベッド装置はベッド本体を有し、このベッド本体の長手方向一端にはボード体としてのヘッドボード体、他端には同じくボード体としてのフットボード体が設けられたものがある。
【０００３】
このようなベッド装置においては、利用者や利用者に掛けられた掛け布団などがベッド本体上から落下するのを防止するため、ベッド装置の側部に側柵を設けることができるようにしている。通常、上記側柵は、上記ベッド装置の側部のサイドフレームに形成された取り付け孔に着脱可能に取り付けられ、不要な場合には取り外すことができるようにしている。
【０００４】
上記側柵の幅寸法は、ベッド装置の長さ寸法よりも短く形成され、必要に応じて複数の側柵をベッド装置のサイドフレームに取り付けるということが行なわれている。複数の側柵をサイドフレームに取り付けると、隣り合う側柵の端部間、ヘッドボードと側柵との端部間、さらにはフットボードと側柵との端部間に隙間が生じることがあり、その場合、その隙間に物や利用者の身体の一部が挟まることがある。
【０００５】
隣り合う一対の側柵の端部間の隙間を塞ぐという技術思想は特許文献１に示されている。すなわち、特許文献１には、隣り合う一対の側柵の上部横枠部材と下部横枠部材とを外側から挟み込み架け渡すようにした、第１の連結横杆と第２の連結横杆とを有する。これら横杆の中途部にはそれぞれ支柱部材を連結し、これら支柱部材を伸縮自在に連結して固定手段で固定することで、一対の側柵間に保持固定することが示されている。
【特許文献１】特許第２８３２６９９号公報
【発明の開示】
【発明が解決しようとする課題】
【０００６】
ところで、ベッド装置には種々のサイズのものがあり、側柵は通常一定の長さ寸法に形成されている。そのため、側柵をどのサイズのベッド装置に用いるかによって側柵の端部とボード体との間に隙間が生じることがある。
【０００７】
しかしながら、特許文献１には側柵の端部とボード体との間に生じる隙間を覆うということが示されていない。しかも、特許文献１に示された技術では、側柵とボード体との上部と下部とに、それぞれ第１の連結横杆と第２の連結横杆とを架け渡すということができないから、側柵の端部とボート体との間に生じる隙間を覆うことができない。
【０００８】
この発明は、側柵の端部とボード体との間に隙間が生じたならば、その隙間を小さくすることができるようにしたベッド装置を提供することにある。
【課題を解決するための手段】
【０００９】
この発明は、ベッド本体と、
このベッド本体の長手方向の少なくとも一端部に設けられるボード体と、
上記ベッド本体の側部に長手方向に沿って設けられる側柵を備え、
上記側柵は、長手方向の一端が開放した枠状部材及びこの枠状部材の開放した長手方向の一端に上記ベッド本体の長手方向に対して位置決め調整可能に設けられた端部材によって構成されていることを特徴とするベッド装置にある。
【００１０】
上記端部材は上記枠状部材の開放した端部にスライド可能に接続される筒状の接続部を有し、この接続部には複数の取り付け孔が長手方向に沿って所定間隔で形成され、上記枠状部材の上記接続部が接続される端部には上記取り付け孔から挿入されたおねじが螺合するナットが設けられていることが好ましい。
【００１１】
上記ベッド本体の長手方向一端にはヘッドボード体、他端にはフットボード体が設けられ、上記ベッド本体の側部には長手方向に沿って２つの側柵が設けられていて、
一方の側柵は上記ヘッドボード体側に位置する一端部が長さ寸法の調整可能に構成され、他方の側柵は上記フットボード体側に位置する一端部が長さ調整可能に構成されていることが好ましい。
【発明の効果】
【００１２】
この発明によれば、側柵を構成する枠状部材の開放端に端部材をベッド本体の長手方向に対して位置決め調整可能に設けたから、この端部材の取り付け位置を調整することで、側柵の端部とボード体との間に生じる隙間を十分に小さくすることが可能となる。
【発明を実施するための最良の形態】
【００１３】
以下、この発明の一実施の形態を図面を参照して説明する。
【００１４】
図１はベッド装置１の斜視図であって、このベッド装置１は四隅部にストッパ付きのキャスタ２が設けられたベースフレーム３を備えている。このベースフレーム３にはベッド本体を構成するベッドフレーム４が図示しない上下駆動機構によって上下動可能に設けられている。
【００１５】
上記ベッドフレーム４の長手方向一端にはボード体としてのヘッドボード体６が設けられ、他端には同じくボード体としてのフットボード７体が設けられている。したがって、各ボード体６，７はベッドフレーム４と一体的に上下動するようになっている。
【００１６】
上記ベッドフレーム４には床板体１１が設けられている。この床板体１１は分割された複数の床部からなる。すなわち、上記床板体１１は上記ベッドフレーム４の長手方向の中央部に幅方向に沿って取り付け固定された固定床部１２を有する。この固定床部１２の上記ヘッドボード６側に位置する一側には腰床部１３及び背床部１４が順次回動可能に連結されている。
【００１７】
上記固定床部１２の上記フットボード７側に位置する他側には第１の脚床部１５と第２の脚床部１６とが順次回動可能に連結されている。上記床板体１１の下面側には上記床板体１１の固定床部１２を除く他の床部１３〜１６を起伏駆動する図示しない背上げ機構が設けられている。
【００１８】
上記背上げ機構が作動すれば、上記腰床部１３と背床部１４とが上昇方向に駆動されるとともに、上記第１の脚床部１５と第２の脚床部１６とが山形状に屈曲しながら上昇方向に駆動されるようになっている。それによって、上記床板体１１に載置された図示しないマットレス上に仰臥した利用者は脚部を屈曲させながら上半身を起こすことができるようになっている。
【００１９】
上記ベッドフレーム４の幅方向の両側には２つで対をなす２組の取り付け部材１７が上記ヘッドフレーム４の幅方向外方に向かって突設されている。なお、この実施の形態では幅方向の一側に設けられた取り付け部材１７だけを図示している。各取り付け部材１７の先端には支持部材１８が水平方向に回動可能に連結されている。各支持部材１８には上下方向に貫通した取り付け孔（図示せず）が形成されている。
【００２０】
ヘッドボード６側に位置する一対の支持部材１８には第１の側柵２１が着脱可能に支持され、フットボード７側位置する一対の支持部材１８には第２の側柵２２が着脱可能に支持されている。
【００２１】
第１の側柵２１と第２の側柵２２は、構成は同じであって、左右方向を逆方向にして各一対の支持部材１８に取り付けられているという点で相違している。つまり、各側柵２１，２２は図２に示すようにパイプ材によって矩形枠状に形成された枠状部材２３を有する。この枠状部材２３の幅方向一端部は開放していて、この開放端には端部材２４が側柵２１の幅方向、つまりベッドフレーム４の長手方向に対する取り付け位置の調整可能に設けられている。
【００２２】
上記端部材２４はパイプによって形成された直杆部２４ａを有し、この直杆部２４ａの上下端には、それぞれ内径寸法がこの直杆部２４ａの外径寸法よりも大径なＬ字状の接続部材２５の一端部が外嵌固定されている。
【００２３】
上下一対の接続部材２５は上記枠状部材２３の両端部にスライド可能に外嵌接続されている。図４と図５に示すように、上記枠状部材２３の両端部にはそれぞれナット２６が埋設された樹脂製の連結部材２７が圧入固定されている。上記枠状部材２３の上辺と下辺との径方向下方の、各連結部材２７のナット２６と対向する部位には挿入孔２８が形成されている。
【００２４】
上記枠状部材２３の端部にスライド可能に外嵌された上記接続部材２５の他端部の径方向下側には厚肉部２５ａが形成され、この厚肉部２５ａには図５に示すように第１の取り付け孔３１と第２の取り付け孔３２とが軸方向に所定間隔で離間して形成されている。第１の取り付け孔３１は上記接続部材２５の先端側に位置し、第２の取り付け孔３２は第１の取り付け孔３１よりも軸方向後方に位置している。
【００２５】
そして、上記端部材２４の上下各辺に設けられた接続部材２５の他端部を上記枠状部材２３の両端部にスライド可能に外嵌させ、第１の取り付け孔３１または第２の取り付け孔３２を連結部材２７に設けられたナット２６に対向させ、そのナット２７にねじ３３をねじ込めば、上記端部材２４を上記枠状部材２３の幅方向一端部に取り付けることができる。
【００２６】
図４において、端部材２４の上部に接続された接続部材２５は第１の取り付け孔３１からナット２６にねじ３３がねじ込まれた状態を示しており、端部材２４の下部に設けられた接続部材２５は第２の取り付け孔３２からナット２６にねじ３３がねじ込まれた状態を示している。
【００２７】
つまり、第１、第２の取り付け孔３１，３２のどちらを利用して端部材２４を枠状部材２３の開放端に取り付けるかにより、側枠２１，２２の幅寸法を図４にＬで示す寸法の範囲、つまり接続部材２５に形成された第１の取り付け孔３１と第２の取り付け孔３２との間隔に応じて変えることができるようになっている。
【００２８】
図２に示すように、各側枠２１，２２の枠状部材２３の幅方向一端部には、上端を枠状部材２３の上辺に連結し、下端部を下辺に連結した第１の脚部材３５がほぼ垂直に設けられている。
【００２９】
第１の脚部材３５の上端部と枠状部材２３の幅方向の他側側の側辺との間には横部材３６が水平に架設されている。横部材３６と枠状部材２３の下辺との間には複数の縦部材３７が垂直に架設されている。枠状部材２３の幅方向他端部には上端を上記横部材３６に連結し、下端部を上記枠状部材２３の下辺に連結した第２の脚部材３８が垂直に設けられている。第１の脚部材３５と第２の脚部材３８との間隔はベッドフレーム４の側部に設けられた対をなす一対の支持部材１８と同じ間隔に設定されている。
【００３０】
第１、第２の脚部材３５，３８の下端部は、上記支持部材１８に形成された図示しない取り付け孔に挿入可能な太さの挿入部３５ａ，３８ａに形成されている。各脚部材３５，３８の他の部分は上記取り付け孔よりも大径に形成されている。
【００３１】
そして、第１、第２の側柵２１，２２は一対の脚部材３５，３８の挿入部３５ａ，３８ａを、対をなす一対の支持部材１８の取り付け孔に挿入することで、ベッドフレーム４の側部に着脱可能に取り付けられる。
【００３２】
なお、第１の脚部材３５には枠状部材２３の開放端側に突出するコ字状のスペース部材４１が設けられ、第１の脚部材３５と端部材２４との間の空間に利用者の身体の一部が入らないようにしている。  
さらに、第１の脚部材３５と第２の脚部材３８との下端部には小物類を掛けるためなど利用することができる横桟４２が架設されている。
【００３３】
このように構成されたベッド装置においては、図１に示すように、第１の側柵２１は端部材２４が設けられた枠状部材２３の幅方向一端部をヘッドボード体６側にしてベッドフレーム４の幅方向一側に取り付けられる。第２の側柵２２は端部材２４が設けられた枠状部材２３の幅方向一端部をフットボード体７側にしてベッドフレーム４の幅方向一側に取り付けられる。
【００３４】
ベッドフレーム４の長さ寸法などによっては、各側柵２１，２２の端部材２４が設けられた幅方向の一端部と各ボード体６，７との間隔が大きくなってしまうことがある。その場合、その隙間に利用者の手足や物品などは入り込む虞がある。
【００３５】
各側柵２１，２２の幅方向の一端部と各ボード体６，７との間隔が大きな場合には、各側柵２１，２２の幅方向の一端部に設けられた端部材２４を、幅方向外方に移動させ、側柵２１，２２の幅寸法を拡大する。
【００３６】
つまり、端部材２４の上下一対の接続部材２５に形成された一対の取り付け孔３１，３２のうち、端部に位置する第１の取り付け孔３１を枠状部材２３の端部に設けられたナット２６にねじ３３によって連結固定する。図４の上部の接続部材２５がそのような状態で枠状部材２３に取り付けられている。
【００３７】
それによって、上記端部材２４を第２の取り付け孔３２を利用して枠状部材２３に取り付けた場合よりも、側柵２１，２２の幅方向外方へ図４にＬで示す寸法だけ突出させることができる。したがって、端部材２４を突出させた分だけ、第１、第の側柵２１，２２の端部と各ボード体６，７との間隔を小さくし、そこに利用者の身体の一部や物などが入り込むのを防止することが可能となる。
【００３８】
この発明は上記一実施の形態に限定されず、種々変形可能である。たとえば、端部材の上下の接続部材に２つの取り付け孔を形成したが、取り付け孔の数は２つでなく、３つ以上であってもよく、数が多ければ多いほど、側柵の幅寸法の調整を細かく行うことができる。
【００３９】
また、接続部材に長孔を形成し、その長孔を介して接続部材を枠状部材にねじで取り付けるようにすれば、上記長孔の長さに応じて側枠の幅寸法を無段階に調整することができる。
【００４０】
ベッドフレームの長手方向一端にヘッドボード体、他端にフットボード体が設けられたベッド装置を例に挙げて説明したが、少なくともヘッドボード体が設けられるベッド装置であっても、この発明を適用することができる。さらに、ベッドフレームの幅方向両側に側柵が設けられる場合であっても、差し支えない。
【図面の簡単な説明】
【００４１】
【図１】この発明の一実施の形態を示すベッド装置の斜視図。
【図２】側柵の正面図。
【図３】側柵の枠状部材の幅方向の一端部及びそこに取り付けられる端部材の斜視図。
【図４】枠状部材の一端部を一部断面した拡大図。
【図５】端部材の下側の接続部材を拡大した断面図。
【符号の説明】
【００４２】
４…ベッドフレーム（ベッド本体）、６…ヘッドボード体（ボード体）、７…フットボード体（ボード体）、２１…第１の側柵、２２…第２の側柵、２３…枠状部材、２４…端部材、３５…第１の脚部材、３８…第２の脚部材。
【図１】
2006204743.tif 000003
【図２】
2006204743.tif 000004
【図３】
2006204743.tif 000005
【図４】
2006204743.tif 000006
【図５】
2006204743.tif 000007